(57)【要約】【課題】ランナー本体が前後、左右、あるいは吊持軸回りに傾動するのを規制して、安定した走行特性を発揮できる吊車型のランナーを備えた戸パネルの支持構造を提供する。【解決手段】４輪構造の吊車型のランナー６が、ランナー本体１５と、互いに逆向きに傾斜する一対のローラー軸１６と、同軸１６の傾斜上端側に設けた大径ローラー１７と、同軸１６の傾斜下端側に設けた小径ローラー１８と、吊持軸１９を備えている。ガイドレール２はレール本体１０と、大径ローラー１７用の第１レール壁１１と、第１レール壁１１より上側の小径ローラー１８用の第２レール壁１２を備えている。ランナー６が走行移動するとき、第２レール壁１２が小径ローラー１８を受止めて、ランナー本体１５の前後傾動および左右傾動を規制する。また、レール本体１０の前後壁１０ａ・１０ｂが各ローラー１７・１８を受止めて、ランナー本体１５の吊持軸１９回りの回転傾動を規制する。【選択図】図１
2019070248.tif 000002
【特許請求の範囲】
【請求項１】
開口枠（１）に装着されるガイドレール（２）と、該ガイドレール（２）で移行案内される４輪構造の吊車型のランナー（６）とからなる戸パネルの支持構造であって、
ランナー（６）は、ランナー本体（１５）と、同本体（１５）に隣接配置した一対のローラー軸（１６）と、各ローラー軸（１６）で支持される大径ローラー（１７）および小径ローラー（１８）と、戸パネル（Ｐ）を吊下げ支持する吊持軸（１９）とを備えており、
一対のローラー軸（１６）は、ランナー本体（１５）の水平の前後中心軸に対して互いに逆向きに傾斜する状態で傾斜されており、ローラー軸（１６）の傾斜上端側に大径ローラー（１７）が支持され、ローラー軸（１６）の傾斜下端側に小径ローラー（１８）が支持されており、
ガイドレール（２）は、断面Ｃ字状のレール本体（１０）と、大径ローラー（１７）を移行案内する前後一対の第１レール壁（１１）と、第１レール壁（１１）より上側に設けられて、小径ローラー（１８）を移行案内する前後一対の第２レール壁（１２）を備えており、
小径ローラー（１８）のローラー周面（１８ａ）が第２レール壁（１２）で受止められ大径ローラー（１７）または小径ローラー（１８）のローラー周面（１７ａ・１８ａ）がレール本体（１０）の前後壁（１０ａ・１０ｂ）で受止められるように構成されていることを特徴とする戸パネルの支持構造。
【請求項２】
大径ローラー（１７）が第１レール壁（１１）で支持された状態において、小径ローラー（１８）のローラー周面（１８ａ）と前後の第２レール壁（１２）は、クリアランス（Ｃ１）を間にして対向しており、
大径ローラー（１７）が第１レール壁（１１）で支持された状態において、大径ローラー（１７）および小径ローラー（１８）のローラー周面（１７ａ・１８ａ）とレール本体（１０）の前後壁（１０ａ・１０ｂ）は、クリアランス（Ｃ２）を間にして対向しており、
外力を受けたランナー本体（１５）が、クリアランス（Ｃ１）を越えて前後傾動および左右傾動するのを第２レール壁（１２）で規制し、
外力を受けたランナー本体（１５）が、吊持軸（１９）の回りにクリアランス（Ｃ２）を越えて回転傾動するのをレール本体（１０）の前後壁（１０ａ・１０ｂ）で規制して、
ランナー（６）がクリアランス（Ｃ１・Ｃ２）を越えて３次元方向へ揺れ動くのを規制している請求項１に記載の戸パネルの支持構造。
【請求項３】
大径ローラー（１７）を収容するローラー収容部（２０）と、小径ローラー（１８）を収容するローラー収容部（２１）が、ローラー軸（１６）を支持する中央壁（２２）を間にして、ランナー本体（１５）の前後面に凹み形成されている請求項１、または２に記載の戸パネルの支持構造。
【請求項４】
第２レール壁（１２）の張出し寸法を第１レール壁（１１）の張出し寸法より小さく設定して、大径ローラー（１７）の上周面が、第２レール壁（１２）の上面より上方に位置している請求項１から３のいずれかひとつに記載の戸パネルの支持構造。
【請求項５】
ローラー収容部（２０・２１）に収容した大径ローラー（１７）および小径ローラー（１８）のローラー周面（１７ａ・１８ａ）のうち、対応する第１レール壁（１１）および第２レール壁（１２）で移行案内される側の周面が、ランナー本体（１５）の外郭線の外に露出されている請求項３または４に記載の戸パネルの支持構造。
【請求項６】
ガイドレール（２）の第１レール壁（１１）と第２レール壁（１２）が、それぞれレール本体（１０）から水平に張出し形成されており、
大径ローラー（１７）および小径ローラー（１８）はそれぞれ円錐台状に形成されて、テーパー面からなるローラー周面（１７ａ・１８ａ）を備えており、
大径ローラー（１７）と小径ローラー（１８）は、それぞれローラー周面（１７ａ・１８ａ）の小径端側がランナー本体（１５）を間にして背中合わせ状に隣接する状態でローラー軸（１６）に支持されている請求項１から５のいずれかひとつに記載の戸パネルの支持構造。
【請求項７】
ガイドレール（２）の前後の第１レール壁（１１）および前後の第２レール壁（１２）が、それぞれローラー軸（１６）の傾斜角度と一致する状態で、互いに逆向きに傾斜する状態で傾斜されており、
大径ローラー（１７）および小径ローラー（１８）が、それぞれ円形ローラー状に形成されて、円弧面からなるローラー周面（１７ａ・１８ａ）を備えており、
大径ローラー（１７）と小径ローラー（１８）は、ランナー本体（１５）を間にして背中合わせ状に隣接する状態でローラー軸（１６）に支持されている請求項１から５のいずれかひとつに記載の戸パネルの支持構造。
【請求項８】
大径ローラー（１７）がローラー軸（１６）に装着したベアリング（２３）で回転自在に支持されている請求項１から７のいずれかひとつに記載の戸パネルの支持構造。
【発明の詳細な説明】
【技術分野】
【０００１】
本発明は、戸パネルを支持するための吊車型のランナーを備えている戸パネルの支持構造に関する。本発明に係る戸パネルの支持構造は、引き戸、折り戸、回転ドアなどに適用することができる。
【背景技術】
【０００２】
本発明に係る戸パネルの支持構造を構成するランナーは、ランナー本体の前面一側と後面他側に互い違い状にローラーを配置して、レール断面積やランナーの小形化を図っているが、この種のランナーは特許文献１の吊車装置に公知である。そこでは、横長のランナー本体の前後に車軸を配置し、各車軸の前側一側と後側他側においてローラーを回転自在に軸支して、ランナーを２輪構造としている。ローラーは内輪、外輪、およびボールを備えたベアリング構造になっている。
【０００３】
本発明に係る戸パネルの支持構造を構成するランナーでは、ローラー軸を斜めに傾斜させるが、こうしたランナー構造は、特許文献２の戸車に公知である。そこでは、斜めに傾斜する支持板で車軸体を回転自在に軸支し、車軸体の傾斜下端に走行輪を固定している。走行輪はそろばん玉状に形成されており、円錐形状の走行面の下周面が敷居溝で支持されている。
【先行技術文献】
【特許文献】
【０００４】
【特許文献１】特開２００９−５２１９６号公報（段落番号００１８、図１）
【特許文献２】特開２００９−１３８４５８号公報（段落番号００１８、図２）
【発明の概要】
【発明が解決しようとする課題】
【０００５】
特許文献１の吊車装置によれば、ランナー本体の前側一側と後側他側にローラーを配置するので、ローラー直径を一定とするときの車軸の隣接間隔を小さくでき、従ってランナーの小形化と構造の簡素化を実現してコストを削減できる。しかし、ローラーがランナー本体に対して互い違い状に配置されているため、戸パネルを開閉するときランナーが前後左右に傾動しやすい。また、ランナーが折り戸に適用される場合には、戸パネルを開放した状態において、ランナーに大きな傾動モーメントが作用するため、片方のローラーが走行面から浮き離れて、戸パネルの開閉を適正に行えないことがある。
【０００６】
特許文献２の戸車は、走行輪をそろばん玉状に形成し、その円錐状の走行面の下周面を敷居溝で支持することにより、走行輪が敷居溝から脱輪するのを防止している。しかし、走行輪が取付フレーム（ランナー本体）に対して互い違い状に配置されているため、特許文献１の吊車装置と同様に建具を開閉するとき傾動しやすい。
【０００７】
上記のように、２輪構造のランナーは４輪構造のランナーに比べて、構造を簡素化して小形化を図るうえで有利であり、さらに軽快に開閉移動できる利点があるが、ランナーが傾動しやすく安定した状態で走行させることが難しい。また、４輪構造のランナーは、４個のローラーがレール壁で同時に移行案内されている間は、ランナーを安定した状態で走行できるものの、外力を受けたランナー本体が前後、左右、あるいは吊持軸の回りに大きく傾動することがあり、そうした場合に走行状態が不安定になる。本発明者は、上記のような２輪構造のランナーと４輪構造のランナーの特長と欠点を再検討し、両者の特長を生かせるランナー構造を模索した結果、本発明を提案するに至ったものである。
【０００８】
本発明の目的は軽快に開閉移動でき、ランナー本体が前後、左右、あるいは吊持軸の回りに傾動した場合であっても、安定した走行特性を発揮できる戸パネルの支持構造を提供することにある。
【課題を解決するための手段】
【０００９】
本発明に係る戸パネルの支持構造は、開口枠１に装着されるガイドレール２と、ガイドレール２で移行案内される４輪構造の吊車型のランナー６とからなる。ランナー６は、ランナー本体１５と、同本体１５に隣接配置した一対のローラー軸１６と、各ローラー軸１６で支持される大径ローラー１７および小径ローラー１８と、戸パネルＰを吊下げ支持する吊持軸１９とを備えている。図１に示すように、一対のローラー軸１６は、ランナー本体１５の水平の前後中心軸に対して互いに逆向きに傾斜する状態で傾斜されており、ローラー軸１６の傾斜上端側に大径ローラー１７が支持され、ローラー軸１６の傾斜下端側に小径ローラー１８が支持されている。ガイドレール２は、断面Ｃ字状のレール本体１０と、大径ローラー１７を移行案内する前後一対の第１レール壁１１と、第１レール壁１１より上側に設けられて、小径ローラー１８を移行案内する前後一対の第２レール壁１２を備えている。小径ローラー１８のローラー周面１８ａが第２レール壁１２で受止められ、大径ローラー１７または小径ローラー１８のローラー周面１７ａ・１８ａがレール本体１０の前後壁１０ａ・１０ｂで受止められるように構成されていることを特徴とする。
【００１０】
大径ローラー１７が第１レール壁１１で支持された状態において、小径ローラー１８のローラー周面１８ａと前後の第２レール壁１２は、クリアランスＣ１を間にして対向している。大径ローラー１７が第１レール壁１１で支持された状態において、大径ローラー１７および小径ローラー１８のローラー周面１７ａ・１８ａとレール本体１０の前後壁１０ａ・１０ｂは、クリアランスＣ２を間にして対向している。外力を受けたランナー本体１５が、クリアランスＣ１を越えて前後傾動および左右傾動するのを第２レール壁１２で規制する。さらに、外力を受けたランナー本体１５が、吊持軸１９の回りにクリアランスＣ２を越えて回転傾動するのをレール本体１０の前後壁１０ａ・１０ｂで規制して、ランナー６がクリアランスＣ１・Ｃ２を越えて３次元方向へ揺れ動くのを規制する。
【００１１】
大径ローラー１７を収容するローラー収容部２０と、小径ローラー１８を収容するローラー収容部２１が、ローラー軸１６を支持する中央壁２２を間にして、ランナー本体１５の前後面に凹み形成されている。
【００１２】
第２レール壁１２の張出し寸法を第１レール壁１１の張出し寸法より小さく設定して、大径ローラー１７の上周面が、第２レール壁１２の上面より上方に位置している。
【００１３】
ローラー収容部２０・２１に収容した大径ローラー１７および小径ローラー１８のローラー周面１７ａ・１８ａのうち、対応する第１レール壁１１および第２レール壁１２で移行案内される側の周面を、ランナー本体１５の外郭線の外に露出させる。
【００１４】
ガイドレール２の第１レール壁１１と第２レール壁１２は、それぞれレール本体１０から水平に張出し形成されている。大径ローラー１７および小径ローラー１８はそれぞれ円錐台状に形成されて、テーパー面からなるローラー周面１７ａ・１８ａを備えている。大径ローラー１７と小径ローラー１８は、それぞれローラー周面１７ａ・１８ａの小径端側がランナー本体１５を間にして背中合わせ状に隣接する状態でローラー軸１６に支持されている。
【００１５】
ガイドレール２の前後の第１レール壁１１および前後の第２レール壁１２は、図１０に示すように、それぞれローラー軸１６の傾斜角度と一致する状態で、互いに逆向きに傾斜する状態で傾斜させてある。大径ローラー１７および小径ローラー１８は、それぞれ円形ローラー状に形成されて、円弧面からなるローラー周面１７ａ・１８ａを備えている。大径ローラー１７と小径ローラー１８は、ランナー本体１５を間にして背中合わせ状に隣接する状態でローラー軸１６に支持されている。
【００１６】
大径ローラー１７はローラー軸１６に装着したベアリング２３で回転自在に支持されている。
【発明の効果】
【００１７】
本発明では４輪構造の吊車型のランナー６において、一対のローラー軸１６を互いに逆向きに傾斜する状態で傾斜させ、同軸１６の傾斜上端側で大径ローラー１７を支持し、傾斜下端側で小径ローラー１８を支持するようにした。また、ガイドレール２は、レール本体１０と、大径ローラー１７を移行案内する前後一対の第１レール壁１１と、第１レール壁１１より上側に設けられて、小径ローラー１８を移行案内する前後一対の第２レール壁１２を備えるようにした。
【００１８】
こうした戸パネルの支持構造によれば、定常状態においては、一対の大径ローラー１７が第１レール壁１１に沿って走行移動することで戸パネルＰを開閉できる。しかし、外力を受けたランナー本体１５が前後あるいは左右に傾動する状態では、小径ローラー１８のローラー周面１８ａを第２レール壁１２で受止めて、ランナー本体１５が前後傾動し、あるいは左右傾動するのを第２レール壁１２で規制する。さらに、外力を受けたランナー本体１５が吊持軸１９を中心にして回転傾動する状態では、大径ローラー１７または小径ローラー１８のローラー周面１７ａ・１８ａをレール本体１０の前後壁１０ａ・１０ｂで受止めて、ランナー本体１５が回転傾動するのを前後壁１０ａ・１０ｂで規制できる。従って、４輪構造のランナー６であるにも拘らず、２輪構造のランナーと同等の軽快な開閉機能を発揮しながら、ランナー本体１５が大きく傾動した状態で開閉移動されるのを解消して、常に安定した走行特性を発揮するランナー６を備えた戸パネルの支持構造を提供できる。
【００１９】
小径ローラー１８のローラー周面１８ａと前後の第２レール壁１２が、クリアランスＣ１を間にして対向し、大径ローラー１７および小径ローラー１８のローラー周面１７ａ・１８ａとレール本体１０の前後壁１０ａ・１０ｂが、クリアランスＣ２を間にして対向するようにした。このように、各ローラー１７・１８とガイドレール２の間に適量のクリアランスＣ１・Ｃ２を設けてあると、各ローラー１７・１８は、ランナー６がクリアランスＣ１・Ｃ２分だけ傾動した状態において、第２レール壁１２あるいはレール本体１０の前後壁１０ａ・１０ｂで受止められて、それ以上傾動することはない。つまり、ランナー６がクリアランスＣ１・Ｃ２を越えて３次元方向へ揺れ動くのを、第２レール壁１２あるいは前後壁１０ａ・１０ｂで規制できる。従って、ランナー６は常に安定した走行特性を発揮しながら戸パネルＰを整然と開閉移動できる。また、揺れ動きに伴うがたつき音の発生を抑止できるので、静粛性に優れた戸パネルの支持構造を提供することができる。
【００２０】
ランナー本体１５の前後面にローラー収容部２０・２１を凹み形成し、各収容部２０・２１に大径ローラー１７と小径ローラー１８を収容すると、両ローラー１７・１８の全体がランナー本体１５の前後面に露出させてある場合に比べて、ランナー６の前後幅を小さくしてその分だけランナー６を小形化できる。また、ランナー６を小形化できる分だけガイドレール２のレール断面積を小さくして、戸パネルの支持構造をコンパクト化できる。さらに、前後のローラー収容部２０・２１の間の中央壁２２を利用してローラー軸１６を支持するので、ランナー本体１５の構造に無駄がない利点もある。
【００２１】
第２レール壁１２の張出し寸法を第１レール壁１１の張出し寸法より小さく設定して、大径ローラー１７の上周面を、第２レール壁１２の上面より上方に位置するようにした。こうしたランナー６によれば、ガイドレール２の内部空間において許される範囲内で、大径ローラー１７の直径を大きくできるので、左右一対の大径ローラー１７が第１レール壁１１に沿って走行移動するときのランナー６の走行特性をさらに安定化して直進性を向上できる。
【００２２】
大径ローラー１７および小径ローラー１８のローラー周面１７ａ・１８ａのうち、対応する第１レール壁１１および第２レール壁１２で移行案内される側の周面を、ランナー本体１５の外郭線の外に露出させるようにした。こうしたランナー６によれば、走行移動と傾動規制に関与する側のローラー周面のみが、ランナー本体１５の前後面に露出させてあればよいので、各ローラー１７・１８の大半の部分を、側面視におけるランナー本体１５の外郭線内に位置させることができる。従って、ローラー収容部２０・２１に大径ローラー１７および小径ローラー１８が収容してある場合と同様に、ランナー６の前後幅を小さくしてその分だけランナー６を小形化し、ガイドレール２のレール断面積を小さくできる。また、ランナー６が走行移動するとき、走行移動と傾動規制に関与していない側のローラー周面が、ガイドレール２の内面壁に接触するのを確実に防止して、ランナー６を軽快に開閉移動できる。
【００２３】
ガイドレール２の第１・第２のレール壁１１・１２を、それぞれ水平に張出し形成し、大径ローラー１７および小径ローラー１８はそれぞれ円錐台状に形成して、テーパー面状のローラー周面１７ａ・１８ａを備えるようにした。また、各ローラー１７・１８は、ローラー周面１７ａ・１８ａの小径端側がランナー本体１５を間にして背中合わせ状に隣接する状態で、ローラー軸１６で支持されるようにした。こうしたランナー６によれば、傾斜中心軸回りに回転する一対の大径ローラー１７・１７は、第１レール壁１１に対して常に均一な状態で転動しようとする自己調心作用を発揮するので、ランナー６の直進性を向上して走行特性をさらに安定化できる。
【００２４】
ガイドレール２の第１・第２のレール壁１１・１２を、それぞれローラー軸１６の傾斜角度と一致する状態で、互いに逆向きに傾斜する状態で傾斜させ、大径ローラー１７および小径ローラー１８は、それぞれ円形ローラー状に形成するようにした。こうしたランナー６によれば、傾斜中心軸回りに回転する一対の大径ローラー１７・１７は、第１レール壁１１に対して常に均一な状態で転動しようとする自己調心作用を発揮するので、各ローラー１７・１８が円錐台状に形成してあるランナー６と同様に、ランナー６の直進性を向上して走行特性をさらに安定化できる。
【００２５】
大径ローラー１７がローラー軸１６に装着したベアリング２３で回転自在に支持されていると、大径ローラー１７がローラー軸１６で直接軸支してある場合に比べて、大径ローラー１７の回転抵抗を小さくして回転動作をより円滑化できる。また、大径ローラー１７の回転動作が円滑化されるのに伴って、ランナー６が走行移動するときの騒音の発生を低下できるので、静粛性に優れた戸パネルの支持構造を提供することができる。
【図面の簡単な説明】
【００２６】
【図１】本発明の実施例１に係る戸パネルの支持構造を示す縦断側面図である。
【図２】本発明が適用された折り戸の正面図である。
【図３】折り戸の縦断側面図である。
【図４】ランナーの縦断正面図である。
【図５】ランナーの平面図である。
【図６】ローラー支持構造を説明するための分解断面図である。
【図７】ランナーが前後に傾動した場合の第２レール壁の規制作用を示す側面図である。
【図８】ランナーが左右に傾動した場合の第２レール壁の規制作用を示す正面図である。
【図９】ランナーが吊持軸の回りに回転傾動した場合の前後壁の規制作用を示す平面図である。
【図１０】本発明の実施例２に係る戸パネルの支持構造を示す縦断側面図である。
【発明を実施するための形態】
【００２７】
（実施例１）図１から図８に、本発明に係る戸パネルの支持構造をフリー折り戸に適用した実施例１を示す。本発明における前後、左右、上下とは、図２ないし図４に示す交差矢印と、交差矢印の近傍の前後・左右・上下の表記に従う。図２においてフリー折り戸は、左右一対のパネル対で構成されており、各パネル対は開口枠１の上下に配置したガイドレール２・３で折畳み開閉自在に案内支持されている。各パネル対は２個の戸パネルＰの隣接縁どうしをヒンジ４で連結して構成されており、戸パネルＰを折畳んだ状態では、戸パネルＰの殆どがガイドレール２の真下の垂直平面よりも前方へ突出する。この状態のパネル対はガイドレール２・３に沿って左右方向へ自由に移動操作できる。パネル対を全展開した状態において開口中央で隣接する戸パネルＰの屈折縁の近傍には、パネル対を開閉操作する把手５が固定されている。各パネル対の両側端の上下には、図３に示すようにガイドレール２・３で移行案内されるランナー６と振止具７が設けられている。
【００２８】
図１において、上枠側のガイドレール２は下向きに開口する断面Ｃ字状のレール本体１０と、レール本体１０の前後壁１０ａ・１０ｂに対向する状態で張出される第１レール壁１１および第２レール壁１２を一体に備えたアルミニウム条材からなる。第１レール壁１１が後述する吊持軸１９の移動領域を間にして、レール本体１０の前後壁１０ａ・１０ｂの開口面において水平に張出し形成されているのに対して、第２レール壁１２は後述するランナー本体１５の移動領域を間にして、レール本体１０の前後壁１０ａ・１０ｂの中途部に水平に張出し形成されている。第２レール壁１２の張出し寸法は、第１レール壁１１の張出し寸法より小さく設定されている。この実施例におけるガイドレール２は、高さ寸法が２０．９ｍｍ、前後寸法が２０．６ｍｍと、比較的軽量の戸パネルＰを吊持するのに適した小形のガイドレールからなる。床面側のガイドレール３は、上向きに開口する浅いレール溝１３を備えたアルミニウム条材からなる（図３参照）。
【００２９】
図４においてランナー６は、ランナー本体１５と、ランナー本体１５に隣接配置される一対のローラー軸１６と、各ローラー軸１６の前後軸部で回転自在に軸支される大径ローラー１７・１７および小径ローラー１８・１８と、ランナー本体１５と戸パネルＰ１・Ｐ２を連結する吊持軸１９を備えた４輪構造の吊車型のランナーからなる。ランナー本体１５は左右横長のプラスチック成型品からなり、その前後面の左右に各ローラー１７・１８を収容する円形のローラー収容部２０・２１が凹み形成されている。図１に示すように、前後のローラー収容部２０・２１は、ローラー軸１６を支持する中央壁２２で区分されており、同壁２２に形成した挿通穴にローラー軸１６が圧嵌固定されている。このように、ローラー収容部２０・２１は、ローラー軸１６を支持する中央壁２２を間にして、ランナー本体１５の前後面に凹み形成されている。なお、この実施例では、ランナー本体１５の左右寸法が４７ｍｍ、高さ寸法が１５ｍｍであるとき、左右に隣接するローラー軸１６の中心間距離は２１ｍｍとした。
【００３０】
上記のように、ランナー本体１５の前後面にローラー収容部２０・２１を凹み形成し、各収容部２０・２１に大径ローラー１７と小径ローラー１８を収容すると、両ローラー１７・１８の全体がランナー本体１５の前後面に露出させてある場合に比べて、ランナー６の前後幅を小さくしてその分だけランナー６を小形化できる。また、ランナー６を小形化できる分だけガイドレール２のレール断面積を小さくできるので、戸パネルの支持構造をコンパクト化できる。加えて、前後のローラー収容部２０・２１の間の中央壁２２を利用してローラー軸１６を支持するので、ランナー本体１５の構造に無駄がない利点もある。
【００３１】
図７に示すようにローラー軸１６は、その傾斜上端側に形成される第１軸部１６ａと、傾斜下端側に形成される第２軸部１６ｂを一体に備えたステンレス製の旋削品からなり、両軸部１６ａ・１６ｂがフランジで区分されている。左右のローラー軸１６・１６は、それぞれランナー本体１５の水平の前後中心軸に対して、互いに逆向きに１０度傾斜する状態で傾斜されている。詳しくは、図４に向かって左側のローラー軸１６は、その中心軸線Ｓ１が後上がり傾斜する状態でランナー本体１５に固定されており（図１参照）、図４に向かって右側のローラー軸１６は、その中心軸線Ｓ２が前上がり傾斜する状態でランナー本体１５に固定されている。この状態のローラー軸１６の各軸部１６ａ・１６ｂに、ローラー収容部２０・２１に収容した状態の各ローラー１７・１８が一対ずつかしめ固定されている。
【００３２】
大径ローラー１７・１７は、左右のローラー軸１６の第１軸部１６ａで支持されており、小径ローラー１８・１８は、ローラー軸１６の第２軸部１６ｂで支持されている。大径ローラー１７・１７および小径ローラー１８・１８は、それぞれ円錐台状に形成されるプラスチック成型品からなり、大径ローラー１７・１７のみがローラー軸１６に装着したベアリング２３で回転自在に支持されている。大径ローラー１７・１７および小径ローラー１８・１８は、それぞれテーパー状のローラー周面１７ａ・１８ａと、ローラー周面１７ａの大径端に連続するローラー端面１７ｂ・１８ｂを備えており、ローラー周面１７ａ・１８ａの小径端側がランナー本体１５の中央壁２２を間にして背中合わせ状に隣接する状態でローラー軸１６に装着されている。ローラー周面１７ａ・１８ａとローラー端面１７ｂ・１８ｂの間の隅部分は丸められている。ローラー周面１７ａ・１８ａはローラー軸１６の中心軸線Ｓ１・Ｓ２に対して１０度傾けてある。従って、ランナー６をガイドレール２内に組み付けた状態では、大径ローラー１７・１７のローラー周面１７ａが第１レール壁１１の上面で移行案内され、小径ローラー１８・１８のローラー周面１８ａが第２レール壁１２の下面で移行案内される。
【００３３】
振止具７は、筒状のケース２６の内部に振止め軸２７と、振止め軸２７を押下げ付勢するばね２８を収容し、振止め軸２７の下端に回転自在な振止めローラー２９を組付けて構成されている。振止めローラー２９はその下周面を、ガイドレール３のレール溝１３で移行案内することにより、戸パネルＰの前後傾動を規制できる。
【００３４】
各パネル対を折り畳んだ状態における戸パネルＰの対向面の上隅部分には、パネル対を一人の作業者のみで吊持軸１９に吊込むための吊込みユニット３２が設けられている。吊込みユニット３２は戸パネルＰの上隅部分に埋設されるホルダーを備えており、その内部に吊持軸１９を捕捉係合する捕捉レバーと、捻じりコイル形の捕捉ばねと、捕捉レバーをロック保持するロック構造などを備えているが、その説明は省略する。
【００３５】
全閉した状態のパネル対が屈折するのを規制して、全閉状態のパネル対を隙間のない状態で面一状に保持するために、開口枠１と閉じ端に臨むランナー６の間にキャッチ構造が設けられている。図４においてキャッチ構造は、ガイドレール２の閉じ端に固定されるランナー捕捉具３５と、ランナー捕捉具３５に対応してランナー本体１５に設けられる係合構造３６と、ランナー本体１５を戸パネルＰの開放方向へ向かって移動付勢する付勢構造３７とを備えている。
【００３６】
ランナー捕捉具３５は、ガイドレール２と開口枠１で挟持固定される縦壁３８と、縦壁３８の上部から係合構造３６の上面にわたって突設される捕捉腕３９を備えたプラスチック成形品からなる。ランナー本体１５の側端と正対する縦壁３８には、付勢構造３７を組むためのガイド枠４０がランナー本体１５に向かって突設されている。また、捕捉腕３９の突端下面には、係合構造３６のボール４３と係合する係合溝４１が凹み形成されている。捕捉腕３９の基端寄りには、ガイドレール２の上壁に設けた係合穴に係合する弾性係合爪４２が一体に設けられている。
【００３７】
係合構造３６は、金属製のボール４３と、ボール４３を押し上げ付勢するボールばね４４を備えており、これら両者４３・４４はランナー本体１５のセット穴４５に組付けられて、セット穴４５の下部にねじ込んだ止めねじ４６で保持固定されている。ボール４３の球面上部は、常にランナー本体１５の上端面より突出しているので、戸パネルＰが閉じ位置まで移動操作されると、ボール４３が捕捉腕３９の係合溝４１に落ち込み係合して、戸パネルＰが開放方向へ移動するのを規制する。
【００３８】
付勢構造３７は、ガイド枠４０で左右スライドのみ可能に案内支持されるキャップ状の押圧体４８と、縦壁３８と押圧体４８の間に配置される付勢ばね４９を備えている。付勢構造３７は、戸パネルＰが閉じ位置まで移動操作された状態において、押圧体４８がランナー本体１５の側端面を受止めて付勢ばね４９を圧縮変形させる。従って戸パネルＰは開放方向へ移動付勢されるが、ボール４３と係合溝４１の係合関係が解除されることはなく、ユーザーが把手５を開放操作して始めてボール４３が係合溝４１から分離する。
【００３９】
ランナー６がガイドレール２に組まれた状態における、大径ローラー１７と第１レール壁１１、および小径ローラー１８と第２レール壁１２の関係を図１、図４、図５に示している。大径ローラー１７および小径ローラー１８は、それぞれランナー本体１５の対応するローラー収容部２０・２１に収容されて、第１レール壁１１および第２レール壁１２で移行案内されるローラー周面１７ａ・１８ａのうち、対応する第１レール壁１１および第２レール壁１２で移行案内される側の周面を、ランナー本体１５の外郭線の外に露出させている。
【００４０】
大径ローラー１７の場合には、ローラー周面１７ａの下半側がランナー本体１５の外郭線の外に露出させてあり、ローラー周面１７ａの上周面が、第２レール壁１２の上面より上方に位置させてある。また、小径ローラー１８の場合には、ローラー周面１８ａの上半側をランナー本体１５の外郭線の外に露出させて、小径ローラー１８の全体が、第１レール壁１１と第２レール壁１２の間に位置させてある。上記のように、各レール壁１１・１２で移行案内されるローラー周面１７ａ・１８ａを、ランナー本体１５の外郭線の外に露出させると、傾動規制に関与する側のローラー周面のみが、ランナー本体１５の前後面に露出させてあればよい。従って、各ローラー１７・１８の大半の部分を、側面視におけるランナー本体１５の外郭線内に位置させてランナー６の前後幅を小さくでき、その分だけランナー６を小形化し、ガイドレール２のレール断面積を小さくできる。また、ランナー６が走行移動するとき、走行移動と傾動規制に関与していない側のローラー周面が、ガイドレール２の内面壁に接触するのを確実に防止して、ランナー６を軽快に開閉移動できる。
【００４１】
また、ガイドレール２に組まれたランナー６の小径ローラー１８は、第１レール壁１１の上面と第２レール壁１２の間に位置させてあって、上半側のローラー周面１８ａが第２レール壁１２の下面と正対している。さらに、ローラー軸１６の中心軸線Ｓ１・Ｓ２が１０度傾けてあるので、大径ローラー１７は第２レール壁１２から離れる向きに傾斜して、ローラー周面１７ａの上周面が第２レール壁１２の上面より上方に位置している。このように、大径ローラー１７の上周面を、第２レール壁１２の上面より上方に位置させるために、第２レール壁１２の張出し寸法を第１レール壁１１の張出し寸法より小さく設定して、大径ローラー１７のローラー端面１７ｂが第２レール壁１２と接当干渉するのを避けている。こうしたランナー６によれば、ガイドレール２の内部空間において許される範囲内で、大径ローラー１７の直径を大きくできるので、左右一対の大径ローラー１７が第１レール壁１１に沿って走行移動するときのランナー６の走行特性をさらに安定化して直進性を向上できる。
【００４２】
上記のガイド構造においては、第２レール壁１２の張出し位置が上側にあるほど、小径ローラー１８の周面の直径を大きくして、ランナー６を安定した状態で走行させることができる。しかし、ローラー軸１６が傾斜しているため、小径ローラー１８の周面の直径が大きくなるのに比例して、大径ローラー１７の周面の直径が大きくなり、ガイドレール２の内部に入りきれなくなる。こうした不具合を避けるために、この実施例では、大径ローラー１７の周面の大径端側の直径寸法を、ガイドレール２の内法高さ寸法（１８ｍｍ）
の約８８％にしている。また、小径ローラー１８の周面の大径端側の直径は、大径ローラー１７の周面の大径端側の直径の約６６％とした。
【００４３】
図１に示すように、定常状態において走行移動しているときのランナー６は、基本的に手前側の大径ローラー１７と奥側の大径ローラー１７のローラー周面１７ａが前後の第１レール壁１１の上面で支持された状態で左右移動する。ランナー６が左右移動するときの、一対の大径ローラー１７・１７は傾斜中心軸回りに回転するため、第１レール壁１１に対して常に均一な状態で転動しようとする自己調心作用を発揮する。その結果、水平のランナー軸で支持された円形のローラーが水平のレール壁を転動する従来構造のランナーに比べて、ランナー６の直進性を向上して走行特性を安定化できる。
【００４４】
左右一対の大径ローラー１７が第１レール壁１１に沿って走行移動するときのランナー６の移動をより軽快に行うために、前後の小径ローラー１８のローラー周面１８ａと前後の第２レール壁１２は、図１に示すようにクリアランス（遊動隙間）Ｃ１（０．２ｍｍ）を間にして対向しており、第１レール壁１１の上面からも離れているので、小径ローラー１８が回転することはない。同様の理由で、大径ローラー１７および小径ローラー１８のローラー周面１７ａ・１８ａとレール本体１０の前後壁１０ａ・１０ｂは、僅かなクリアランス（遊動隙間）Ｃ２（０．２ｍｍ）を間にして対向している。クリアランスＣ１・Ｃ２は、大径ローラー１７が第１レール壁１１で適正に支持された状態における隙間寸法である。
【００４５】
因みに、上記のようなクリアランスＣ１・Ｃ２が設けられていない場合には、２個の大径ローラー１７と２個の小径ローラー１８が同時に逆向きに異なる回転数で回転するので、ランナー６の走行抵抗が急激に増加し、走行騒音が大きくなる。走行移動するときのランナー６は、戸パネルＰに作用する外力を受けて前後に揺れ動き、左右に揺れ動き、あるいは吊持軸１９を中心にして揺れ動こうとする。しかし、上記のように構成したランナー６によれば、先のような３次元方向の揺れ動きを規制して、安定した走行特性を発揮できる。
【００４６】
例えば、戸パネルＰを折畳んだ状態では、戸パネルＰの殆どがガイドレール２の真下の垂直平面よりも前方へ突出するため、ランナー６には吊持軸１９の中心軸線Ｑが前傾する向きのモーメントが生じる。また、吊持軸１９の中心軸線Ｑが垂直線に対して前側へ傾動し始めると、図７（ａ）に示すように、手前側の大径ローラー１７のローラー周面１７ａが後側の第１レール壁１１の上面から浮き離れ、さらに手前側の小径ローラー１８のローラー周面１８ａが前側の第２レール壁１２の下面から離れる向きに傾動する。しかし、奥側の大径ローラー１７のローラー周面１７ａは前側の第１レール壁１１の上面で支持されたままであり、さらに、吊持軸１９の中心軸線Ｑが垂直線に対して前側へ傾動し始めた直後には、奥側の小径ローラー１８のローラー周面１８ａが、クリアランスＣ１の分だけ僅かに傾動して後側の第２レール壁１２の下面で受止められる。そのため、ランナー本体１５および吊持軸１９が、先のクリアランスＣ１を越えて前側へ傾動することはない。このとき奥側の大径ローラー１７は、奥側の小径ローラー１８が傾動した分だけ前側へ傾動するが、前側の第２レール壁１２に接当することはない。上記の吊持軸１９の傾動角度は２度である。
【００４７】
戸パネルＰの後面側に人がもたれ掛ったような場合のランナー６には、吊持軸１９の中心軸線Ｑが後傾する向きのモーメントが生じる。そして、図７（ｂ）に示すように吊持軸１９の中心軸線Ｑが垂直線に対して後側へ傾動し始めた直後には、手前側の大径ローラー１７のローラー周面１７ａが後側の第１レール壁１１の上面で支持され、さらに、手前側の小径ローラー１８のローラー周面１８ａが、クリアランスＣ１の分だけ僅かに傾動して前側の第２レール壁１２の下面で受止められる。そのため、上記と同様に、ランナー本体１５および吊持軸１９が、先のクリアランスＣ１を越えて後側へ傾動することはない。このとき手前側の大径ローラー１７は、手前側の小径ローラー１８が傾動した分だけ後側へ傾動するが、後側の第２レール壁１２に接当することはない。以上のように、ランナー６が前後いずれかへ傾動する場合には、左右いずれか一方の小径ローラー１８を第２レール壁１２で受け止めて、外力を受けたランナー本体１５が、先のクリアランスＣ１を越えて前後へ揺れ動くのを第２レール壁１２で規制することができる。
【００４８】
戸パネルＰが折畳まれた状態で左右に急開閉される場合には、図８（ａ）に示すように吊持軸１９の中心軸線Ｑが垂直線に対して右側へ傾動することがある。その場合には、左側の大径ローラー１７のローラー周面１７ａが後側の第１レール壁１１の上面から浮き離れる。しかし、左側の大径ローラー１７が第１レール壁１１の上面から浮き離れるのと同時に、左側の小径ローラー１８ａのローラー周面１８ａが、クリアランスＣ１の分だけ僅かに傾動して前側の第２レール壁１２の下面で受止められる。そのため、ランナー本体１５および吊持軸１９がそれ以上右側へ傾動することはない。
【００４９】
上記の場合とは逆に、吊持軸１９の中心軸線Ｑが垂直線に対して右側へ傾動することがある。その場合には図８（ｂ）に示すように、右側の大径ローラー１７のローラー周面１７ａが前側の第１レール壁１１の上面から浮き離れる。しかし、右側の大径ローラー１７が第１レール壁１１の上面から浮き離れるのと同時に、右側の小径ローラー１８ａのローラー周面１８ａが、クリアランスＣ１の分だけ僅かに傾動して前側の第２レール壁１２の下面で受止められる。そのため、ランナー本体１５および吊持軸１９がそれ以上左側へ傾動することはない。従って、外力を受けたランナー本体１５および吊持軸１９が、クリアランスＣ１を越えて左右へ揺れ動くのを第２レール壁１２で規制することができる。
【００５０】
戸パネルＰが全閉状態にあるとき把手５を急に開放操作すると、図９（ａ）に示すようにランナー本体１５が吊持軸１９を中心にして時計回転方向へ傾動することがある。その場合には、左側の大径ローラー１７のローラー周面１７ａの大径端側の周縁が、クリアランスＣ２の分だけ僅かに後向きに傾動して、後側の第１レール壁１１の基端隅部に臨むレール本体１０の後壁１０ｂで受止められる。同時に、右側の大径ローラー１７のローラー周面１７ａの周縁が、クリアランスＣ２の分だけ僅かに前向きに傾動して、前側の第１レール壁１１の基端隅部に臨むレール本体１０の前壁１０ａで受止められる。そのため、ランナー本体１５がそれ以上時計回転方向へ傾動することはない。
【００５１】
上記の場合とは逆に、図９（ｂ）に示すようにランナー本体１５が吊持軸１９を中心にして反時計回転方向へ傾動した場合には、左側の小径ローラー１８のローラー周面１８ａｂの大径端側の周縁が、クリアランスＣ２の分だけ僅かに前向きに傾動して、前側の第２レール壁１２の基端隅部に臨むレール本体１０の前壁１０ａで受止められる。同時に、右側の小径ローラー１８のローラー周面１８ａの周縁が、クリアランスＣ２の分だけ僅かに後向きに傾動して、後側の第２レール壁１２の基端隅部に臨むレール本体１０の後壁１０ｂで受止められる。そのため、ランナー本体１５がそれ以上反時計回転方向へ傾動することはない。従って、外力を受けたランナー本体１５が、吊持軸１９の回りにクリアランスＣ２を越えて時計回転方向、あるいは反時計回転方向へ揺れ動くのを、第１レール壁１１と第２レール壁１２の基端隅部に臨むレール本体１０の前後壁１０ａ・１０ｂで規制して、ランナー６が蛇行するのを解消できる。
【００５２】
以上説明したように、ランナー６は適正な姿勢で走行移動する場合はもちろん、ランナー本体１５が３次元方向へ傾動した状態で走行移動しようとした場合でも、４個のローラー１７・１８のうち必ず２個のローラーを第１・第２のレール壁１１・１２で移行案内して、ランナー６がクリアランスＣ１・Ｃ２を越えて揺れ動くのを規制できる。従って、戸パネルＰを開閉し、あるいは折畳んだ状態のまま左右移動する場合でも、ランナー６は常に安定した走行特性を発揮して戸パネルＰを整然と開閉し、整然と左右移動できる。また、揺れ動きに伴うがたつき音の発生を抑止できるので、静粛性に優れた戸パネルの支持構造を提供することができる。
【００５３】
（実施例２）図１０に本発明に係る戸パネルの支持構造の実施例２を示す。そこでは、ガイドレール２の前後の第１レール壁１１および前後の第２レール壁１２を、それぞれローラー軸１６の傾斜角度と一致する状態で、互いに逆向きに傾斜する状態で傾斜させるようにした。また、大径ローラー１７および小径ローラー１８は、それぞれ円形ローラー状に形成して、円弧面からなるローラー周面１７ａ・１８ａを備えるようにした。大径ローラー１７と小径ローラー１８は、ランナー本体１５を間にして背中合わせ状に隣接する状態でローラー軸１６に支持されるようにした。他は実施例１と同じであるので、同じ部材に同じ符号を付してその説明を省略する。
【００５４】
実施例２の戸パネルの支持構造によれば、傾斜中心軸回りに回転する一対の大径ローラー１７・１７が、第１レール壁１１に対して常に均一な状態で転動しようとする自己調心作用を発揮できる。その結果、実施例１のランナー６と同様に、水平のランナー軸で支持された円形のローラーが水平のレール壁を転動する従来構造のランナーに比べて、ランナー６の直進性を向上して走行特性を安定化できる。なお、実施例２において、ガイドレール２の前後の第１レール壁１１および前後の第２レール壁１２が、それぞれ水平に形成してある場合にも、一対の大径ローラー１７・１７は自己調心作用を発揮する。しかし、その場合には、大径ローラー１７と第１レール壁１１が点接触状に接触するため、ランナー６が前後にふらつきやすくなる。
【００５５】
上記以外に、本発明に係る戸パネルの支持構造は、折り戸以外に引戸や回転ドアなどに適用することができる。また、吊持対象の戸パネルＰの重量が大きくなる場合には、ガイドレール２およびランナー６も大きく形成する必要があるが、そうした場合には、小径ローラー１８が大径ローラー１７と同様に、ローラー軸１６に装着したベアリング２３で回転自在に支持してあってもよい。必要があれば、ランナー６は引戸や回転ドアの戸車として使用することができ、その場合にも、ランナー６は常に安定した走行特性を発揮して戸パネルＰを整然と開閉し、整然と左右移動できる。
【００５６】
戸パネルＰをガイドレール２に吊込んだ状態において、隣接する戸パネルＰどうしが前後あるいは上下に位置ずれしていることがある。こうした戸パネルＰの前後あるいは上下の位置ずれを調整するために、ランナー本体１５と吊持軸１９の間に前後調整構造や、上下調整構造を設けておくことができる。
【符号の説明】
【００５７】
２  ガイドレール
６  ランナー
１０  レール本体
１０ａ  レール本体の前壁
１０ｂ  レール本体の後壁
１１  第１レール壁
１２  第２レール壁
１５  ランナー本体
１６  ローラー軸
１７  大径ローラー
１７ａ  （１７の）ローラー周面
１８  小径ローラー
１８ａ  （１８の）ローラー周面
１９  吊持軸
２０  （１７用の）収容部
２１  （１８用の）収容部
２２  中央壁
Ｐ  戸パネル
Ｃ１  クリアランス
Ｃ２  クリアランス
【図１】
2019070248.tif 000003
【図２】
2019070248.tif 000004
【図３】
2019070248.tif 000005
【図４】
2019070248.tif 000006
【図５】
2019070248.tif 000007
【図６】
2019070248.tif 000008
【図７】
2019070248.tif 000009
【図８】
2019070248.tif 000010
【図９】
2019070248.tif 000011
【図１０】
2019070248.tif 000012